(57)【要約】本発明による植物栄養剤用容器は、液状植物栄養剤を収容するボトルと、該ボトルの嘴状部入口に圧縮し堅固に取り付けられ、該最上部がシリンダ状に成された外部密封裾を包含し、該外部密封裾の内部表面が、ボトルの嘴状部の外部表面に気密に接触されるキャップと、前記外部密封裾の内部下端部から突出され、キャップがボトルに固定される際、該外部表面が嘴状部入口の内部表面と密接に接触される内部密封突出部と、指で容易に取ることができるように外部密封裾から突出されたヘッド及び、前記外部密封裾の先端と前記ヘッドとを連結し、且つ、ヘッドより小さい幅を持ち、且つ、前記内部密封突出部の底部から頂部まで拡張された排出孔を包含することで、切断時に、ボトルの内部と外部とが連通できるようにするネックから構成される。
2006521091.tif 000002
【特許請求の範囲】
【請求項１】
液状植物栄養剤を収容するボトルと、
前記ボトルの嘴状部入口に圧縮し堅固に取り付けられ、該最上部がシリンダ状に成された外部密封裾を包含し、前記外部密封裾の内部表面が、ボトルの嘴状部の外部表面に気密に接触されるキャップと、
前記外部密封裾の内部下端部から突出され、該外部表面が、キャップがボトルに固定される際、嘴状部入口の内部表面と緊密に接触される内部密封突出部と、
指で容易に取ることができるように、前記外部密封裾から突出されたヘッドと、
前記外部密封裾の先端と前記ヘッドとを連結し、前記ヘッドより小さい幅を持ち、且つ、前記内部密封突出部の底部から頂部まで拡張された排出孔を包含することで、切断時に、ボトルの内部と外部とが連通できるようにするネック部と
から構成されることを特徴とする植物栄養剤用容器。
【請求項２】
前記キャップは、軟質合成樹脂から構成され、前記ヘッドを捻ることによって、容易にネック部を切断し得ることを特徴とする請求項１に記載の植物栄養剤用容器。 
【請求項３】
前記ヘッド部は、多角形の切断面を持つように構成され、指で容易に取ることができるように構成されたことを特徴とする請求項１又は２に記載の植物栄養剤用容器。
【発明の詳細な説明】
【技術分野】
【０００１】
本発明は、植物栄養剤の容器に関するものであって、さらに詳細なことには、植木鉢の土中にスティックのように挿し込み、植物に栄養を供給し得る容器に関する。
【背景技術】
【０００２】
一般に、植物栄養剤(又は治療剤)は、液状からなり、且つ、合成樹脂容器に収容される。かかる植物栄養剤とは、栄養不足により植物が萎れる際、植物周りの土を介して供給される。且つ、開花前後、日光不足、又は、病虫害などのような被害を受ける時に用いられるものである。液状の植物栄養剤は、細長い容器に貯蔵されているため、植木鉢などに逆さまに挿し込み操作だけで、簡単に行われる。
【０００３】
前記従来容器の一実施形態が、図１ないし図２に示されている。図１は、植物栄養剤の従来容器のキャップを示した斜視図であり、図２は、従来容器に組み合わせた図１のキャップを示した断面図である。
【０００４】
前記キャップ２は、高弾性、且つ、軟質の合成樹脂から成形される。前記キャップ２の内部直径は、ボトルの嘴状部１１入口の外部直径と同様であるか、又は、若干小さく形成される。そして、前記キャップ２は、キャップの内部表面が圧縮され、且つ、嘴状部１１の外部表面に密接に接触されて、ボトルの嘴状部１１と結合される。
【０００５】
前記キャップ２の先端は、細長くて、尖って形成され、且つ、排出孔を持っている。そして、使用者が、該先端部分を鋏やナイフなどを介して切断し、開封してから用いることになる。従って、容器を開封するに際して、所定の工具が必要となる。
【０００６】
ぽきっと折る方式から成され、且つ、ボトルの口部を被せることができるスナップキャップは、スクリューキャップに比べて、ボトルを開ける作業時間を著しく短縮し得ることから、広く用いられてきた。
【０００７】
前記従来のスナップキャップ２は、最初から嘴状部１１の入口に堅固に接触し結合されている。然るに、容器を貯蔵、運搬する間に、前記キャップ２が膨張されたり、又は、容器の嘴状部１１が縮められると、隙間が、前記キャップ２の内部面と嘴状部１１の外部面との間に生じることになる。さらに、前記キャップ２の外部表面に外部圧力が突如加わると、前記キャップ２や前記嘴状部１１が元の形態に直ぐ復元され、前記キャップ２の内部表面と嘴状部１１の外部表面との間に同様に隙間が生じる。
【０００８】
前述したように、キャップ２の内部表面と嘴状部１１の外部表面との間に隙間が生じると、容器の内部に充填されていた液状の栄養剤が自然蒸発したり、又は、キャップそのものが嘴状部１１から取り離される惧れがある。
【発明の開示】
【発明が解決しようとする課題】
【０００９】
本発明は、前記問題点に鑑みてなされたものであり、その目的は、使用者が、別途の分離切断工具を必要とせずに、指のみで容器のキャップを容易に開封することができる植物栄養剤容器を提供することにある。
【００１０】
本発明の他の目的は、外部温度の変化や外部圧力に拘わらず、キャップと 嘴状部入口との間の気密性を向上させることができる植物栄養剤容器を提供することにある。
【課題を解決するための手段】
【００１１】
前記目的等を達成するために、本発明は、液状植物栄養剤を収容するボトルと、該ボトルの嘴状部入口に圧縮し堅固に取り付けられ、該最上部がシリンダ状に成された外部密封裾を包含し、該外部密封裾の内部表面が、ボトルの嘴状部の外部表面に気密に接触されるキャップと、前記外部密封裾の内部下端部から突出され、キャップがボトルに固定される際、該外部表面が嘴状部入口の内部表面と密接に接触される内部密封突出部と、指で容易に取ることができるように外部密封裾から突出されたヘッドと、前記外部密封裾の先端と前記ヘッドとを連結し、且つ、ヘッドより小さい幅を持ち、且つ、前記内部密封突出部の底部から頂部まで拡張された排出孔を包含することで、切断時に、ボトルの内部と外部とが連通できるようにするネックとから構成される。
【００１２】
また、前記キャップは、軟質合成樹脂から構成され、前記ヘッドを捻ることによって、容易にネックを切断し得ることを特徴とする。 
【００１３】
さらに、前記ヘッド部は、多角形の切断面を持つように構成され、指で容易に取ることができる。
【発明の効果】
【００１４】
以上の通り、本発明の植物栄養剤用容器によれば、手で容易に除去し得るヘッドを持つキャップによって、使用時、何らかの工具を必要とせず、極めて使用勝手が良いものである。また、前記内部密封突出部を介して、前記嘴状部入口と前記キャップとの間を気密に接触させることによって、外部温度変化や長時間保存に拘わらず、内容物の蒸発量を最小化することができる植物栄養剤用容器が提供される。
【発明を実施するための形態】
【００１５】
以下では、本発明の望ましい実施形態を、添付図面を参照として説明する。また、同一部分については、同一符号を付して説明する。図３は、本発明による植物栄養剤を供給する容器のキャップを示した斜視図であり、図４は、図３のキャップとボトルとを組み合わせた状態を示した断面図である。
【００１６】
図３及び図４を参照すると、本発明のキャップ２０は、使用者の手により取られ、捻り切ることができるヘッド２２と、前記ヘッド２２と外部密封裾２３とを連結し、且つ、排出孔２５が備えられたネック２１とを包含している。
【００１７】
前記ネック２１は、該外部直径が小さく、排出孔２５と共に提供されるため、親指と人差し指とでヘッド２２を掴み、捻るだけで容易に切断できる。
【００１８】
図３に示されたように、前記キャップのヘッド２２は、四角柱形状からなる。しかし、ヘッド２２の形状は、特に、四角柱形状に限定されるものではなく、指により容易に掴まれて捻られることができる形状であれば、如何なる形状でもよい。
【００１９】
前記ヘッド２２の切断面形状は、使用者にとって、掴みやすくなるように、多角状からなることが好ましい。
【００２０】
図４に示されたように、本発明のキャップ２０は、二重封込方法として内部密封突出部２４と、外部密封裾２３とを介して、ボトル１０の嘴状部１１と組み合わされる。
【００２１】
そして、前記外部密封裾２３は、該内部面で嘴状部１１の外部面と気密に接触することになり、且つ、前記内部密封突出部２４は、棒形状からなり、外部密封裾２３の内部面頂部より突出されていて、嘴状部内に挿入されることによって、嘴状部１１の内部面に気密に密着されている。
【００２２】
ボトル１０は、硬質の合成樹脂からなることも可能であり、ボトルに装着されるキャップ２０は、空気を効果的に遮断するために、軟質の合成樹脂から構成することが好ましい。また、前記キャップ２０は、合成ゴム材からなり得る。
【００２３】
したがって、通常は、キャップ２０の膨張率と収縮率とが、ボトル１０の嘴状部の膨張率と収縮率より大きい。そのため、キャップ２０と嘴状部１１とが、外部温度の増加に伴って、互に異なる膨張率で膨張するか、または、互に異なる収縮率で収縮される際、嘴状部１１入口の内・外面のうちに、何れかの一方で、常時、密封可能である。 
【００２４】
前記排出孔２５は、内部密封突出部２４からネック２１の頂部まで延長されている。従って、キャップ２０が、ボトル１０の嘴状部１１に被せられることで、嘴状部１１の内側上部にまで至ることになる。
【００２５】
前記ヘッド２２が、キャップ２０のネック２１より切り離されることによって、ボトルの内部と、外部とが連通できる。そして、ボトル２０に収容された植物栄養剤がボトル内部より排出されることになる。前記ネック２１は、排出孔２５の提供によって所定長さを持つチューブ状に形成されている。排出孔２５の直径は、液状植物栄養剤がボトル１０から排出される時間を考慮して決められる。
【００２６】
図５は、液状植物栄養剤用容器を用いて、液状植物栄養剤を詰める方法を示す断面図である。図６は、図５の方法に従って、液状植物栄養剤が収容された容器の斜視図である。図７ａないし７ｃは、本発明による液状植物栄養剤用容器の使用例を示す図面である。
【００２７】
図５を参照すれば、ボトル１０が液状植物栄養剤で詰められた後、前記キャップ２０が、ボトルの胴体１２の嘴状部１１入口に圧縮かつ固定される。封込は、単一プレス工程により外部密封裾２３の内部面と嘴状部１１の外部面との間で行われると共に、内部密封突出部２４の外部面と嘴状部１１入口の内部面との間で行われる。従って、かかる封込は、短時間で完了される。
【００２８】
図６に示されたように、液状植物栄養剤で充填されて、キャップ２０により被せられたボトル１０は、土中に挿し込むことができるように、細長い形状からなることが好ましい。
【００２９】
また、ボトル１０の胴体１２は、嘴状部１１の直径より大きい直径を持ち、シリンダ形状からなることが好ましい。
【００３０】
図７ａを参照すると、液状植物栄養剤を植物に供給する前に、使用者が、片手でボトルの胴体１２を取り、且つ、他の手でヘッドを捩じり切る。
【００３１】
前述したように、軟質のキャップ２０のネック２１が切断されることで、前記ヘッド２２は、外部密封裾２３と内部密封突出部２４とから取り外される。この際、キャップ２０の外部密封裾２３と内部密封突出部２４とは、容器の嘴状部１１入口に固定され、且つ、ボトル１０の内部は、液状植物栄養剤が容器から流出できるように、排出孔２５を介して容器の外部に連通されるようになされる。
【００３２】
図７ｃのように、前述した方法を介して切断された容器を植木鉢内における植物周りの土中に挿し込むことで、液状植物栄養剤が、供給されることになる。
【００３３】
以上、本発明の好ましい実施形態について説明したが、本発明は、本発明の属する技術分野において通常の知識を有する者が発明を容易に実施し得る程度内で詳細に説明したものであって、これにより、本発明の技術的思想及び範疇が限定されることを意味するのではない。
【図面の簡単な説明】
【００３４】
【図１】従来植物栄養剤用容器のキャップを示した斜視図。
【図２】従来の図１のキャップとボトルとを組み合わせた状態の断面図。
【図３】本発明による植物栄養剤用容器のキャップを示した斜視図。
【図４】図３のキャップとボトルとを組み合わせた状態の断面図。
【図５】植物栄養剤用容器を用いて液状植物栄養剤を詰める方法を示す断面図。
【図６】図５の方法により植物栄養剤を収容した容器を示す斜視図。
【図７ａ】本発明による植物栄養剤用容器の使用例を示す図面である。
【図７ｂ】本発明による植物栄養剤用容器の使用例を示す図面である。
【図７ｃ】本発明による植物栄養剤用容器の使用例を示す図面である。
【符号の説明】
【００３５】
１０…ボトル、１１…嘴状部、１２…ボトルの胴体、２０…キャップ、２１…ネック、２２…ヘッド、２３…外部密封裾、２４…内部密封突出部、２５…排出孔。
【図１】
2006521091.tif 000003
【図２】
2006521091.tif 000004
【図３】
2006521091.tif 000005
【図４】
2006521091.tif 000006
【図５】
2006521091.tif 000007
【図６】
2006521091.tif 000008
2006521091.tif 000009
2006521091.tif 000010
2006521091.tif 000011
【国際調査報告】
2006521091.tif 000012
2006521091.tif 000013